(57)【要約】【課題】高さを低くしたＬＣフィルタを提供することを目的としている。【解決手段】第１のフィルタ部１３および第３のフィルタ部１５のインダクタ１１のインダクタンスは、第２のフィルタ部１４のインダクタ１１のインダクタンスよりも大きくし、かつ、第２のフィルタ部１４のインダクタ１１の高さ（Ｈ２）は第１のフィルタ部１３のインダクタ１１の高さ（Ｈ１）および第３のフィルタ部１５のインダクタ１１の高さ（Ｈ３）よりも低くした構成である。【選択図】  図１
2005027073.tif 000002
【特許請求の範囲】
【請求項１】
インダクタとコンデンサとを接続して形成した第１のフィルタ部および第２のフィルタ部と、前記第１のフィルタ部および前記第２のフィルタ部を配置した実装基板とを備え、前記第１のフィルタ部のインダクタのインダクタンスは、前記第２のフィルタ部のインダクタのインダクタンスよりも大きく、かつ、前記第２のフィルタ部のインダクタの高さは前記第１のフィルタ部のインダクタの高さよりも低く、前記第２のフィルタ部のインダクタの上面または上方に部品実装装着機の吸着用の平板を配置するとともに、前記平板は前記第１のフィルタ部のインダクタの高さ以下に配置したＬＣフィルタ。
【請求項２】
前記第１のフィルタ部はインダクタとコンデンサとを直列接続して形成し、前記第１のフィルタ部の一端側を入力端子とするとともに、前記第１のフィルタ部の他端側を出力端子としており、前記第２のフィルタ部はインダクタとコンデンサとを並列接続して形成し、前記第２のフィルタ部の一端側を前記第１のフィルタ部の他端側に接続するとともに、前記第２のフィルタ部の他端側をアースに接続した請求項１記載のＬＣフィルタ。
【請求項３】
インダクタとコンデンサとを直列接続して形成した第３のフィルタ部を設け、前記第３のフィルタ部の一端側を入力端子とするとともに、前記第３のフイルタ部の他端側を出力端子としており、前記第１のフィルタ部の出力端子と前記第３のフィルタ部の入力端子とを接続した請求項２記載のＬＣフィルタ。
【請求項４】
前記第２のフィルタ部のインダクタは前記実装基板の中央部に配置するとともに、前記第１のフィルタ部のインダクタと前記第３のフィルタ部のインダクタとの間に配置した請求項３記載のＬＣフィルタ。
【請求項５】
前記平板は前記第２のフィルタ部のインダクタの上面に接着剤を塗布して接着した請求項１記載のＬＣフィルタ。
【請求項６】
前記第１のフィルタ部のインダクタと前記第２のフィルタ部のインダクタとは、互いに磁束の発生する向きが異なるように配置した請求項１記載のＬＣフィルタ。
【請求項７】
前記第１のフィルタ部のインダクタと前記第２のフィルタ部のインダクタとは、前記実装基板に対して磁束の発生する向きが垂直方向になるように配置した請求項６記載のＬＣフィルタ。
【発明の詳細な説明】
【０００１】
【発明の属する技術分野】
本発明は、各種電子機器等に用いるＬＣフィルタに関するものである。
【０００２】
【従来の技術】
以下、従来のＬＣフィルタについて図面を参照しながら説明する。
【０００３】
図１２は、従来のＬＣフィルタの斜視図、図１３はケース装着前の同ＬＣフィルタの斜視図である。
【０００４】
従来のＬＣフィルタは、携帯電話やオーディオ機器におけるバンドパス用のフィタルとして用いられ、通過周波数帯域は１．２〜３．５ＭＨｚ（±９５ｋＨｚまたは±１５０ｋＨｚ）で、インピーダンスは６００Ω〜２ｋΩ程度である。
【０００５】
図１２、図１３において、従来のＬＣフィルタは、インダクタ１とコンデンサ２とを接続して形成した第１のフィルタ部３および第２のフィルタ部４および第３のフィルタ部５と、これらを配置した実装基板６と、ケース７とを備えている。
【０００６】
また、等価回路は図１４に示すようになる。
【０００７】
なお、この出願の発明に関連する先行技術文献情報としては、例えば、特許文献１が知られている。
【０００８】
【特許文献１】
特開平２−１１４７０９号公報
【０００９】
【発明が解決しようとする課題】
上記構成では、第１のフィルタ部３、第２のフィルタ部４、第３のフィルタ部５を被覆するようにケース７を被覆しているので、高さが高くなるという問題点を有していた。
【００１０】
本発明は上記問題点を解決し、高さを低くしたＬＣフィルタを提供することを目的としている。
【００１１】
【課題を解決するための手段】
上記目的を達成するために本発明は、以下の構成を有する。
【００１２】
本発明の請求項１に記載の発明は、特に、前記第１のフィルタ部のインダクタのインダクタンスは、前記第２のフィルタ部のインダクタのインダクタンスよりも大きく、かつ、前記第２のフィルタ部のインダクタの高さは前記第１のフィルタ部のインダクタの高さよりも低く、前記第２のフィルタ部のインダクタの上面または上方に部品実装装着機の吸着用の平板を配置するとともに、前記平板は前記第１のフィルタ部のインダクタの高さ以下に配置した構成である。
【００１３】
上記構成により、平板は第１のフイルタ部のインダクタの高さ以下に配置することができ、容易に高さを低く抑制できるとともに、部品実装装着機の吸着にも問題なく対応することができる。
【００１４】
本発明の請求項２記載の発明は、特に、前記第１のフィルタ部はインダクタとコンデンサとを直列接続して形成し、前記第１のフィルタ部の一端側を入力端子とするとともに、前記第１のフィルタ部の他端側を出力端子としており、第２のフィルタ部はインダクタとコンデンサとを並列接続して形成し、前記第２のフィルタ部の一端側を前記第１のフィルタ部の他端側に接続するとともに、前記第２のフィルタ部の他端側をアースに接続した構成である。
【００１５】
上記構成により、第２のフィルタ部のインダクタが第１のフィルタ部のインダクタよりも小さくなり、第２のフィルタ部のインダクタの高さを低く抑制でき、平板を的確に配置できる。
【００１６】
また、バンドパスフィルタとして機能させることもできる。
【００１７】
本発明の請求項３記載の発明は、特に、インダクタとコンデンサとを直列接続して形成した第３のフィルタ部を設け、前記第３のフィルタ部の一端側を入力端子とするとともに、前記第３のフイルタ部の他端側を出力端子としており、前記第１のフィルタ部の出力端子と前記第３のフィルタ部の入力端子とを接続した構成である。
【００１８】
上記構成により、第３のフィルタ部によって、バンドパスフィルタとして機能させることもできる。
【００１９】
特に、第３のフィルタ部によって、周波数の通過帯域と通過阻止帯域との境界近傍を急峻にすることができ、フィルタ精度を向上することができる。
【００２０】
本発明の請求項４記載の発明は、特に、前記第２のフィルタ部のインダクタは前記実装基板の中央部に配置するとともに、前記第１のフィルタ部のインダクタと前記第３のフィルタ部のインダクタとの間に配置した請求項３記載のＬＣフィルタ。
【００２１】
上記構成により、平板を配置する第２のフィルタ部のインダクタは、実装基板の中央部に配置し、第１のフィルタ部のインダクタと第３のフィルタ部のインダクタとの間に配置するので、重心に位置することとなり、部品実装装着機によって吸着した際も、バランスがよく、吸着不良や運搬時における落下抑制ができる。
【００２２】
本発明の請求項５記載の発明は、特に、前記平板は前記第２のフィルタ部のインダクタの上面に接着剤を塗布して接着した構成である。
【００２３】
上記構成により、第２のフィルタ部のインダクタの上面に確実に平板を配置できる。
【００２４】
本発明の請求項６記載の発明は、特に、前記第１のフィルタ部のインダクタと前記第２のフィルタ部のインダクタとは、互いに磁束の発生する向きが異なるように配置した構成である。
【００２５】
上記構成により、互いのインダクタに対して、磁束による影響を抑制できる。
【００２６】
特に、周波数の通過帯域が必要以上に広くなったり、減衰量が低下したりすることがなく、微調整の必要性も少ない。
【００２７】
本発明の請求項７記載の発明は、特に、前記第１のフィルタ部のインダクタと前記第２のフィルタ部のインダクタとは、前記実装基板に対して磁束の発生する向きが垂直方向になるように配置した構成である。
【００２８】
上記構成により、インダクタの周辺の実装部品に対して、磁束による影響を抑制できる。
【００２９】
【発明の実施の形態】
以下、本発明の実施の形態を用いて、全請求項に記載の発明について図面を参照しながら説明する。
【００３０】
図１は本発明の一実施の形態における平板配置前のＬＣフィルタの斜視図、図２は同ＬＣフィルタの斜視図、図３は同ＬＣフィルタの断面図、図４は同ＬＣフィルタの一部透視平面図、図５は同ＬＣフィルタの等価回路図、図６は磁束の発生方向を表した同ＬＣフィルタの断面図である。
【００３１】
本発明の一実施の形態におけるＬＣフィルタは、携帯電話やオーディオ機器におけるバンドパス用のフィルタとして用いられ、通過周波数帯域は１．２〜３．５ＭＨｚ（±９５ｋＨｚまたは±１５０ｋＨｚ）で、インピーダンスは６００Ω〜２ｋΩ程度である。
【００３２】
図１〜図５において、ＬＣフィルタは、インダクタ１１とコンデンサ１２とを接続して形成した第１のフィルタ部１３、第２のフィルタ部１４、第３のフイルタ部１５と、この第１のフィルタ部１３、第２のフィルタ部１４、第３のフィルタ部１５を配置した実装基板１６とを備えている。
【００３３】
第１のフィルタ部１３はインダクタ１１とコンデンサ１２とを直列接続して形成し、第１のフィルタ部１３の一端側を入力端子１７とするとともに、第１のフィルタ部１３の他端側を出力端子１８としており、第２のフィルタ部１４はインダクタ１１とコンデンサ１２とを並列接続して形成し、第２のフィルタ部１４の一端側を第１のフィルタ部１３の他端側に接続するとともに、第２のフィルタ部１４の他端側をアース１９に接続しており、第３のフィルタ部１５はインダクタ１１とコンデンサ１２とを直列接続して形成し、第３のフィルタ部１５の一端側を入力端子１７とするとともに、第３のフィルタ部１５の他端側を出力端子１８としており、第１のフィルタ部１３の出力端子１８と第３のフィルタ部１５の入力端子１７とを接続している。
【００３４】
第１のフィルタ部１３には他のコンデンサ１２をさらに並列接続するとともに、第２のフィルタ部１４とアース１９との間にも他のコンデンサ１２をさらに直列接続している。
【００３５】
また、第１のフィルタ部１３および第３のフィルタ部１５のインダクタ１１のインダクタンスは、第２のフィルタ部１４のインダクタ１１のインダクタンスよりも大きくし、かつ、第２のフィルタ部１４のインダクタ１１の高さ（Ｈ２）は第１のフィルタ部１３のインダクタ１１の高さ（Ｈ１）および第３のフィルタ部１５のインダクタ１１の高さ（Ｈ３）よりも低くしている。
【００３６】
さらに、第２のフィルタ部１４のインダクタ１１は、実装基板１６の中央部に配置するとともに、第１のフィルタ部１３のインダクタ１１と第３のフィルタ部１５のインダクタ１１との間に配置している。第１のフィルタ部１３のインダクタ１１の側面には、第２のフィルタ部１４のインダクタ１１の側に向かって、第２のフィルタ部１４のインダクタ１１とほぼ同じ高さのフェライト板２０を配置している。
【００３７】
この際、第１のフィルタ部１３のインダクタ１１と第２のフィルタ部１４のインダクタ１１とは、互いに磁束２１の発生する向きが異なるように配置し、第２のフィルタ部１４と第３のフィルタ部１５とは、互いに磁束２１の発生する向きが同じになるように配置し、かつ、実装基板１６に対して磁束２１の発生する向きが垂直方向になるように配置している。磁束２１の発生する向きを示す説明図は図６に、その周波数特性は図７（ａ）に示す通りである。フェライト板２０を配置しない場合の周波数特性は図７（ｂ）のようになる。
【００３８】
そして、第２のフィルタ部１４のインダクタ１１の上面または上方には部品実装装着機の吸着用の平板２２を配置するとともに、この平板２２は第１のフィルタ部１３のインダクタ１１の高さ以下に配置している。第２のフィルタ部１４のインダクタ１１の上面に接着剤２３を塗布して平板２２を接着している。
【００３９】
上記構成により、バンドパスフィルタとしての機能を損なうことなく、平板２２は第１のフィルタ部１３および第３のフィルタ部１５のインダクタ１１の高さ以下に配置することができ、容易に高さを低く抑制できるとともに、部品実装装着機の吸着にも問題なく対応させることができる。特に、第２のフィルタ部１４のインダクタ１１のインダクタンスが第１のフィルタ部１３のインダクタ１１のインダクタンスよりも小さいので、第２のフィルタ部１４のインダクタ１１の高さを低く抑制でき、平板２２を的確に配置できる。
【００４０】
また、平版２２を配置する第２のフィルタ部１４のインダクタ１１は、実装基板１６の中央部に配置し、第１のフィルタ部１３のインダクタ１１と第３のフィルタ部１５のインダクタ１１との間に配置するので、重心に位置することとなり、部品実装装着機によって吸着した際も、バランスがよく、吸着不良や運搬時における落下抑制ができる。
【００４１】
特に、平板２２は前記第２のフィルタ部１４のインダクタ１１の上面に接着剤２３を塗布して接着するので、第２のフィルタ部１４のインダクタ１１の上面に確実に平板２２を配置できる。
【００４２】
さらに、第１のフィルタ部１３のインダクタ１１と第２のフィルタ部１４のインダクタ１１とは、互いに磁束２１の発生する向きが異なるように配置しているので、互いのインダクタ１１に対して、磁束２１による影響を抑制できる。この際、第１のフィルタ部１３のインダクタ１１と第２のフィルタ部１４のインダクタ１１、および第２のフィルタ部１４のインダクタ１１と第３のフィルタ部１５のインダクタ１１とは、実装基板１６に対して磁束２１の発生する向きが垂直方向になるように配置しているので、インダクタ１１の周辺の実装部品に対し、磁束２１による影響を抑制できる。
【００４３】
そして、第３のフィルタ部１５を用いることによって、周波数の通過帯域と通過阻止帯域との境界近傍を急峻し、フィルタ精度を向上することもできる。
【００４４】
このように本発明の一実施の形態によれば、容易に高さを低く抑制できるとともに、部品実装装着機の吸着にも問題なく対応することができる。
【００４５】
なお、本発明の実施の形態では、第１のフィルタ部１３のインダクタ１１と第２のフィルタ部１４のインダクタ１１とは、互いに磁束２１の発生する向きが異なるように配置し、第２のフィルタ部１４と第３のフィルタ部１５とは、互いに磁束２１の発生する向きが同じになるように配置し、かつ、実装基板１６に対して磁束２１の発生する向きが垂直方向になるように配置したが、図８、図９に示すように、第２のフィルタ部１４のインダクタ１１と第３のフィルタ部１５のインダクタ１１とは、互いに磁束２１の発生する向きが異なるように配置したり、第１のフィルタ部１３のインダクタ１１は磁束２１の発生する向きを実装基板１６に対して垂直になるように配置し、第２のフィルタ部１４のインダクタ１１は磁束２１の発生する向きを実装基板１６に対して平行になるように配置してもよい。このとき、図８に示すＬＣフィルタの周波数特性は図７（ｃ）に、図９に示すＬＣフィルタの周波数特性は図７（ｄ）に示すようになる。
【００４６】
また、図１０、図１１に示すように、第１のフィルタ部１３のインダクタと第２のフィルタ部１４のインダクタ１１とは、互いに磁束２１の発生する向きを同じになるように配置してもよいが、この場合、図１０に示すＬＣフィルタの周波数特性は図７の（ｅ）に、図１１に示すＬＣフィルタの周波数特性は図７の（ｆ）に示すようになり、極部において減衰量が少し劣化する。
【００４７】
【発明の効果】
以上のように本発明によれば、第１のフィルタ部のインダクタのインダクタンスは、第２のフィルタ部のインダクタのインダクタンスよりも大きく、かつ、第２のフィルタ部のインダクタの高さは第１のフィルタ部のインダクタの高さよりも低く、第２のフィルタ部のインダクタの上面または上方に部品実装装着機の吸着用の平板を配置するとともに、平板は第１のフィルタ部のインダクタの高さ以下に配置しているので、平板は第１のフィルタ部のインダクタの高さ以下に配置することができ、容易に高さを低く抑制できるとともに、部品実装装着機の吸着にも問題なく対応することができる。
【図面の簡単な説明】
【図１】本発明の一実施の形態における平板配置前のＬＣフィルタの斜視図
【図２】同ＬＣフィルタの斜視図
【図３】同ＬＣフィルタの断面図
【図４】同ＬＣフィルタの一部透視平面図
【図５】同ＬＣフィルタの等価回路図
【図６】磁束の発生方向を表した同ＬＣフィルタの断面図
【図７】同ＬＣフィルタの周波数特性図
【図８】同ＬＣフィルタの他の実施形態を示す図
【図９】同ＬＣフィルタの他の実施形態を示す図
【図１０】同ＬＣフィルタの他の実施形態を示す図
【図１１】同ＬＣフィルタの他の実施形態を示す図
【図１２】従来のＬＣフィルタの斜視図
【図１３】ケース装着前の同ＬＣフィルタの斜視図
【図１４】同ＬＣフィルタの等価回路図
【符号の説明】
１１  インダクタ
１２  コンデンサ
１３  第１のフィルタ部
１４  第２のフィルタ部
１５  第３のフィルタ部
１６  実装基板
１７  入力端子
１８  出力端子
１９  アース
２０  フェライト板
２１  磁束
２２  平板
２３  接着剤
【図１】
2005027073.tif 000003
【図２】
2005027073.tif 000004
【図３】
2005027073.tif 000005
【図４】
2005027073.tif 000006
【図５】
2005027073.tif 000007
【図６】
2005027073.tif 000008
【図７】
2005027073.tif 000009
【図８】
2005027073.tif 000010
【図９】
2005027073.tif 000011
【図１０】
2005027073.tif 000012
【図１１】
2005027073.tif 000013
【図１２】
2005027073.tif 000014
【図１３】
2005027073.tif 000015
【図１４】
2005027073.tif 000016